(57)【特許請求の範囲】
【請求項１】
伏臥状態の患者又は使用者の頭部を保持する保持手段と、伏臥状態の患者又は使用者の口腔内又は歯牙に対して歯科処置を施す手段と、伏臥状態の患者又は使用者の口腔のほぼ直下に配置され、前記伏臥状態の患者又は使用者の口腔から流下した使用済み液や口腔からの落下物を回収するためのスピットン手段、とを備えている伏臥式歯科処置装置。
【請求項２】
前記保持手段は患者又は使用者の額を保持する手段と下顎を保持する手段とを備えていることを特徴とする請求項１に基づく伏臥式歯科処置装置。
【請求項３】
前記歯科処置を施す手段は、歯科処置ツールと、前記ツールを操作するためのマニピュレータとを備えていることを特徴とする請求項１又は２に基づく伏臥式歯科処置装置。
【請求項４】
前記歯科処置ツールは、洗浄液噴射ノズル、歯ブラシ、液体パルス噴射ノズル、回転式歯科工具、振動式歯科工具、又は往復動式歯科工具からなることを特徴とする請求項３に基づく伏臥式歯科処置装置。
【請求項５】
前記歯科処置ツールを滅菌する手段を更に備えていることを特徴とする請求項３又は４に基づく伏臥式歯科処置装置。
【請求項６】
患者又は使用者の口から落下した入れ歯や補綴物のような落下物を回収する手段を更に備えていることを特徴とする請求項１から５のいずれかに基づく伏臥式歯科処置装置。
【請求項７】
患者又は使用者の口腔内を撮影するビデオカメラと、前記カメラにより撮影された口腔内画像をリアルタイムで表示する表示手段を更に備えていることを特徴とする請求項１から６のいずれかに基づく伏臥式歯科処置装置。
【発明の詳細な説明】
【技術分野】
【０００１】
本発明は、患者又は使用者の頭部を伏臥状態に保持しながら、患者が自ら或は施術者が口腔内洗浄、うがい、歯磨き、歯周マッサージ、歯石除去、その他の口腔ケア又は歯科処置をするのを可能にする伏臥式歯科処置装置に関する。
本発明の伏臥式歯科処置装置は、健常者にも適用することができるが、高齢者、要介護者、痴呆症患者、知的障害者、身体障害者、等に適用するのに特に適している。
【背景技術】
【０００２】
専門的な歯科処置は、通常、歯科椅子に仰向けに横たわった患者に対して歯科医等の施術者によって行なわれる。
他方、介護施設や老人ホームなどでは、要介護者の衛生を向上させたり食欲を増進させたりする目的で、要介護者等に対して口腔内洗浄などの口腔ケアが行なわれている。この場合には、口腔内洗浄は寝台等に横向きに横たわった患者に対して介護人により行なわれる。介護人は横たわった患者の口腔内に給水吸引歯ブラシなどを用いて注水しながら口腔内を洗浄し、口腔から溢れる使用済みの洗浄水は吸引装置により排水される。吸引装置がない場合には、ガーゼやコットンに水を含ませて汚れを拭き取ったり、歯ブラシを使用して介助することもあるが、何度もガーゼやコットンに水を含ませたり、ブラシを洗う必要があり、手間がかかる。逆に水を含ませすぎると、口の中に水が溜まり、水が気管支へ入ると大変危険である。
【発明の概要】
【発明が解決しようとする課題】
【０００３】
本発明の目的は、患者又は使用者の頭部を伏臥状態に保持しながら、患者が自ら或は施術者が口腔内洗浄、うがい、歯磨き、歯周マッサージ、歯石除去、その他の口腔ケア又は歯科処置をするのを可能にする伏臥式歯科処置装置を提供することにある。
本発明の他の目的は、歯科処置中に患者や使用者が入れ歯や補綴物などを誤って嚥下することのない歯科処置装置を提供することにある。
本発明の他の目的は、口腔内に唾液や洗浄液が溜まることがなく、洗浄液を飲み込んだり窒息したりすることのない歯科処置装置を提供することにある。
【課題を解決するための手段】
【０００４】
本発明によれば、伏臥式歯科処置装置は、患者又は使用者の頭部を伏臥状態に保持する保持手段と、伏臥状態の患者又は使用者の口腔内又は歯牙に対して歯科処置を施す手段と、使用済み液を回収する手段とを備えている。
好ましい実施態様においては、保持手段は患者又は使用者の額を保持する手段と下顎を保持する手段とを備え、歯科処置を施す手段は、歯科処置ツールと、前記ツールを操作するためのマニピュレータとを備えている。歯科処置ツールは、例えば、洗浄液噴射ノズル、歯ブラシ、液体パルス噴射ノズル、回転式歯科工具、又は振動式歯科工具、又は往復動式歯科工具からなる。
好ましくは、この装置は、更に、歯科処置ツールを滅菌する手段、患者又は使用者の口から落下した入れ歯や補綴物のような落下物を回収する手段、及び／又は、口腔内撮影用ビデオカメラおよび表示手段を備えている。
【図面の簡単な説明】
【０００５】
【図１】図１は本発明の伏臥式歯科処置装置の模式図である。
【発明を実施するための形態】
【０００６】
図１を参照しながら本発明の伏臥式歯科処置装置の実施例を説明する。図１において、１０は伏臥式歯科処置装置、１２は装置本体、１４はスピットン、１６は交換用ツール収納・滅菌機構、１８はマニピュレータ、２０は監視用ビデオカメラ、２２はモニター兼入力装置、２４は汚物分離手段、２６は頭部固定手段、２８は下顎固定手段、３０は電子制御装置である。モニター兼入力装置２２は例えばタッチスクリーン式入力インターフェースを備えた液晶ディスプレーにより形成することができる。
【０００７】
図示した実施例においては、伏臥式歯科処置装置１０は使用者が自ら口腔内を洗浄することの可能な口腔内洗浄装置の形に構成されている。このため、マニピュレータ１８には歯ブラシおよび洗浄水噴射ノズルが着脱自在に装着してある。
他の口腔ケア又は歯科処置にこの装置１０を使用する場合には、交換用ツール収納・滅菌機構１６には、タービンドリルのような回転式歯科工具、振動式歯科工具、及び／又は往復動式歯科工具を格納し、マニピュレータ１８に交換可能に装着することができる。
【０００８】
この装置の使用態様を説明するに、口腔内洗浄装置１０の形に構成された図示実施例の場合には、この装置は、例えば介護施設や老人ホームなどに設置しておいて、介護人が要介護者の口腔ケアをするために使用することができる。
この使用態様においては、介護人は被介護者を椅子（図示せず）に適宜着座させ、被介護者を伏臥させて、図示したようにその頭部と下顎を固定手段２６、２８に固定する。椅子には身長や体型の異なる被介護者を無理なく着座させるための調節手段（図示せず）を設けると共に、固定手段２６、２８にも頭部の大きさや形状に適合させるための調節手段を設けることができる。
伏臥した被介護者の口から入れ歯や補綴物などが落下した場合には落下物は落下物回収ネット（図示せず））に回収される。このように伏臥姿勢で口腔ケアが行なわれるので、被介護者が入れ歯や補綴物などを誤って嚥下することが防止される。
被介護者が位置決めされると、介護人はモニター兼入力装置２２又は図示しないスイッチを操作することによりマニピュレータ１８を作動させ、洗浄水噴射ノズルから洗浄水を噴射させながら歯ブラシを運動させて口腔内洗浄を行う。マニピュレータ１８に装着された歯ブラシの運動は予めプログラムされたシーケンスに従って電子制御装置３０により制御することができる。
口腔内洗浄は伏臥姿勢で行なわれ、洗浄中は洗浄液や唾液は自然に排出されるので、口腔内に唾液や洗浄液が溜まることがない。従って、洗浄液を飲み込んだり窒息したりする危険が少ない。
使用済みの洗浄水は汚物分離部２４に回収され、汚物を分離した上で排出される。
使用後は、洗浄水噴射ノズルと歯ブラシは交換用ツール収納・滅菌機構１６に戻され、滅菌処理を受ける。
【０００９】
他の使用態様においては、口腔内洗浄装置１０は、例えば歯科医院等に設置しておき、歯科医による歯科処置に先立って患者が自ら口腔内洗浄をするために使用することが出来る。
【００１０】
以上には本発明を口腔内洗浄装置に適用した実施例を記載したが、本発明はこれに限定されるものではなく、種々の修正や変更を施すことができる。例えば、交換用ツールとしては、例えば、回転式歯科ツール、振動式歯科ツール、往復動式歯科ツール、ウォーターピック、その他のツールを使用することができる。
【符号の説明】
【００１１】
１０：  伏臥式歯科処置装置
１２：  本体
１４：  スピットン
１６：  交換用ツール収納・滅菌機構
１８：  マニピュレータ
２０：  監視用ビデオカメラ
２２：  モニター兼入力装置
２４：  汚物分離手段
２６：  頭部固定手段
２８：  下顎固定手段
３０：  電子制御装置
特許出願人  株式会社ミクロン
代理人  弁理士  伊藤  宏
【図１】
0005439653.tif 000002